(57)【要約】      （修正有）【課題】  従来の粘着剤を塗布した台紙形式の鼠類捕獲具では、鼠捕獲後、鼠を台紙もろとも焼却や地中に埋設する等して廃棄処理をしており、公害の一因となると共に台紙の板紙も有効利用できなかったが、廃棄部分を少なくし台紙の板紙部分を回収できるようにして、資源の有効利用に役立つ鼠類捕獲具を提供する。【解決手段】  一枚の板紙の紙面にコーティングした弱接着剤Ｂを介してプラスチックフィルム2を積層した台紙1の中央部に、所定の狭巾間隔ｄをおいて2条の復元性を有する折筋３，３を圧縮により形成してその間の狭巾パネル４の左右両側に前記折筋3に隣接して一対の矩形パネル5，5を前記狭巾パネル4を挟んで常時平坦を保持するように台紙１を形成する。そして、粘着財Ａを、台紙1の二つ折り時に左右の矩形パネル2の粘着剤同士が接触しないように、矩形パネル5、5の左右外側縁からそれぞれ間隔をおいてプラスチックフィルム面に塗布する。  【選択図】  図１
2006174787.tif 000002
【特許請求の範囲】
【請求項１】
一枚の板紙の紙面にコーティングした弱接着剤Ｂを介してプラスチックフィルム２を積層した台紙１の中央部に、所定の狭巾間隔ｄをおいて２条の復元性を有する折筋３，３を形成してその間の狭巾パネル４の左右両側に前記折筋３に隣接して一対の矩形パネル５，５を前記狭巾パネル４を挟んで常時平坦を保持するごとく形成してなる台紙１に、粘着剤Ａを、台紙１の二つ折り時に左右のパネル面の粘着剤同士が接触しないごとく、前記矩形パネル５，５の左右外側縁からそれぞれ間隔をおいて塗布したことを特徴とする鼠類捕獲具。
【請求項２】
復元性を有する２条の折筋３，３は、台紙１を平坦状態で圧縮により凹凸折筋が凸部６をプラスチックフィルム側に形成されていることを特長とする請求項１記載の鼠類捕獲具。
【請求項３】
弱接着剤Ｂはアクリル樹脂系エマルジョン形接着剤からなることを特長とする請求項１又は２記載の鼠類捕獲具。
【請求項４】
台紙１には一対の矩形パネル５，５の各三方の外側縁にそれぞれ小巾折返し片７，７，８を形成したことを特長とする請求項１又は２又は３記載の鼠類捕獲具。
【請求項５】
プラスチックフィルム２は、黒色などの暗色に着色されていることを特長とする請求項１乃至４のいずれかに記載の鼠類捕獲具。
【発明の詳細な説明】
【技術分野】
【０００１】
本発明は、台紙に塗布した粘着剤により、室等を走行する鼠を捕獲する型式の鼠類捕獲具にする。
【背景技術】
【０００２】
従来、台紙面に鼠捕獲用粘着剤を塗布し、この塗布面により走る鼠を粘着せしめて捕獲する形式ものが知られている。例えば、台紙中央に形成された折り曲げ部によって二つ折りされる一対の矩形パネルの各三方の外側縁にそれぞれ小巾の折返し片が形成され、左右の矩形パネルの各三方の折返し片の内側（小巾折返し片と段差を有する台紙の内面）に粘着剤を塗布し、各矩形パネルの粘着面の略中央に、二つ折り時に粘着面の間に間隙を作って粘着面同士のくっつきを防止するための粘着防止片（スペーサー）を設けて未使用時には二つ折りに内側に折返して粘着面が外に出ないようになっている。
【特許文献１】登録実用新案公報  実用新案登録第３０６６９６１号（図7）
【発明の開示】
【発明が解決しようとする課題】
【０００３】
従来の粘着剤を塗布した台紙形式の鼠捕獲具では、鼠捕獲後の処理としては、台紙もろとも焼却又は地中に埋設するようにしており、後処理に問題を残していた。すなわち台紙本体の表面には粘着剤が浸透しないようにプラスチックフィルムを貼着したり浸透防止の塗料をうすく塗ってあるが、例えば台紙を埋設した場合、台紙本体や鼠等は時間がたてば腐ってしまうが、プラスチックフィルムの場合、何年経っても腐らずに地中に残って公害のもととなる問題を残し、大半の焼却処分の場合、有毒ガス等焼却ガスを発生し環境衛生上の問題があった。而も、台紙の板紙部分も焼却のため有効利用ができないという問題があった。
【０００４】
本発明は、上記の点に鑑みてなされたものであって、台紙自体を焼却することも地中に埋設することもなく、台紙の埋設や焼却による公害を防止するとともに廃棄部分を少なくし台紙の板紙部分を回収できるようにして資源の有効利用に役立つ鼠類捕獲具を提供することを目的とする。
【課題を解決するための手段】
【０００５】
上記目的を達成するために、本発明の鼠類捕獲具は、一枚の板紙の紙面にコーティングした弱接着剤Ｂを介してプラスチックフィルム２を積層した台紙1の中央部に、所定の狭巾間隔dをおいて２条の復元性を有する折筋３，３を形成してその間の狭巾パネル4の左右両側に前記折筋３に隣接して一対の矩形パネル５，５を前記狭巾パネル４を挟んで常時平坦を保持するように形成した台紙1に、粘着剤Ａを、台紙1の二つ折り時に左右のパネル面の粘着剤同士が接触しないように、前記矩形パネル５，5の左右外側縁からそれぞれ間隔をおいて塗布したことを特徴としている。
【０００６】
これにより、常時平坦を保持するごとく形成された台紙1を室等の壁面に沿った鼠の通路に設置することにより、鼠が台紙1の粘着剤Ａが塗布された上面を走行すると鼠は粘着剤に脚を取られ台紙1から逃げようとしてあばれることにより、粘着剤Ａより弱い接着剤Ｂを介して積層されたプラスチックフィルム２は平坦を保持した台紙1の板紙面より剥がれて鼠の体に絡みついて鼠は逃げられなくなり、鼠を容易に捕獲することができる。そして鼠の体に絡みついた状態のプラスチックフィルムを持って台紙1から剥ぎとることにより、台紙１の板紙部分とは別個に鼠を容易に廃棄処分することができる。
【０００７】
台紙1の復元性を有する2条の折筋３，３は、その形成に当り、台紙１を平坦状態で圧縮により凹凸折筋が凸部６をプラスチックフィルム側に形成されていることが望ましい（図２参照）。このようにすると、台紙１の狭巾パネル４の左右両側の矩形パネル５，５は、凹凸折筋の凸部６側に曲り難いため、鼠が粘着面上であばれても、良好に台紙１の平坦性を保つことができ、鼠の捕獲を容易にすることができる。
【０００８】
弱接着剤Ｂとしては、アクルル樹脂系エマルジョン形接着剤を採用することが効果的で、これを用いると板紙面に積層したプラスチックフィルム2を板紙面から容易に剥離させることができ、粘着剤Ａを塗布したプラスチックフィルムによる鼠の捕獲を容易にすることができる。
【０００９】
台紙1には、一対の矩形パネル５，５の各三方の外側縁にそれぞれ小巾折返し片７、７、８を形成することで、従来公知の台紙形の捕獲具にも、前記と同様に、鼠の体にプラスチックフィルムを絡みつかせることができ、台紙1より鼠に絡みついた状態のプラスチックフィルムを剥ぎとり、資源として再利用できる台紙1の板紙部分とは別個に鼠を容易に廃棄処分することができる。
【００１０】
プラスチックフィルム２は黒色などの暗色に着色されたものを用いることが効果的である。これにより、捕獲した鼠を廃棄処分にするとき、プラスチックフィルムが絡みついた内部の鼠は外側から見え難くなり、捕獲した鼠を目立たなく処分することができる。
【発明の効果】
【００１１】
請求項1記載の本発明の鼠類捕獲具によれば、常時平坦を維持するごとく形成された台紙1を鼠の通路に設置することにより、鼠が台紙1の粘着剤が塗布された上面を走行するとき鼠は粘着剤に脚を取られ台紙から逃げようとあばれるため、粘着剤Ａより弱い接着剤Ｂを介して積層されたプラスチックフィルム２が平坦を保持した台紙1の板紙面より剥がれて鼠の体に絡みつき鼠は逃げられなくなり、鼠を容易に捕獲することができる。そして鼠に絡みついたプラスチックフィルムを台紙より剥がすことにより、鼠を容易に廃棄処分できる一方、残った台紙の板紙部分は之を回収して紙資源として有効利用することができるとともに、台紙の焼却などに基づく公害防止に役立てることができる。また、台紙を二つ折りしたとき粘着剤同士がくっつくことがない。
【００１２】
請求項２記載の発明によれば、台紙1の復元性を有する2条の折筋3，3の凸部が粘着剤を塗布したプラスチックフィルム側に形成されていることにより、折筋間の狭巾パネル4の左右左右両側の矩形パネル５，５は凹凸折筋の凸部側に曲り難いため、鼠が粘着面上であばれても、良好に台紙1の平坦性を保つことができ、鼠を容易に捕獲することができる。
【００１３】
請求項3記載の発明によれば、台紙の板紙面にコーティングした弱接着剤Ｂとしてアクリル樹脂系エマルジョン形接着剤を採用することにより、板紙面に積層したプラスチックフィルム2を板紙面より容易に剥離することができ、粘着剤を塗布したプラスチックフィルムによる鼠の捕獲を容易にすることができる。
【００１４】
請求項4記載の発明によれば、台紙1の一対の矩形パネル5，5の各三方の外側縁にそれぞれ小巾折返し片を有する従来公知のタイプの台紙を有する捕獲具にも、同様に台紙上面を走る鼠の体にプラスチックフィルムを絡みつかせて台紙1の板紙部分とは別個に鼠を容易に廃棄処分でき、台紙1の板紙部分を紙資源として有効利用することができる。
【００１５】
請求項5記載の発明によれば、捕獲した鼠を廃棄処分するとき、プラスチックフィルム2が絡みついた内部の鼠は外部から見え難くなるため、捕獲した鼠を目立つことなく処分することができる。
【発明を実施するための最良の形態】
【００１６】
粘着剤を塗布した台紙により鼠を捕獲する形式の捕獲具を、鼠を捕獲後に台紙自体を焼却することも地中に埋設することもなく、台紙の埋設や焼却に基づく公害を防止するとともに廃棄部分を少なくし台紙の板紙部分を回収できるようにした資源の有効利用に役立つ鼠類捕獲具を提供するという目的を、台紙の板紙に弱接着剤を介して積層したプラスチックフィルムに塗布した粘着剤により台紙面を走る鼠が脚を取られてあばれるとき台紙からプラスチックフィルムが剥がれるようにして、鼠を容易に捕獲できる鼠類捕獲具により実現した。
【実施例１】
【００１７】
図1に、本発明の鼠類捕獲具の一対の矩形パネルを展開してプラスチックフィルムが一部剥離した状態を示す斜視図が示されており、図2に、展開状態の捕獲具の側面図とその一部拡大図が示されている。また、1は台紙、2はプラスチックフィルム、3は折筋、4は狭巾パネル、5は矩形パネル、6は凸部、Ａは粘着剤、Ｂはアクリル樹脂系エマルジョン形接着剤等の弱接着剤、ｄは所定の狭巾間隔である。
【００１８】
台紙1は、所定の大きさの矩形の厚地の板紙の表面にアクリル樹脂系エマルジョン形接着剤等の弱接着剤Ｂが薄く塗布（コーティング）され、その上面に黒色などの暗色で着色されたポリエチレン等のプラスチックフィルム2が剥離可能に積層されている。そして、台紙1の中央部に所定の狭巾間隔ｄをおいて2条の復元性を有する凹凸状の折筋3、3が、台紙1を平坦状態で凸部6（図2参照）をプラスチックフィルム2側にして形成され、折筋3、3の間の狭巾パネル4の左右両側に前記折筋3に隣接して一対の矩形パネル5、5が前記狭巾パネル4を挟んで常時平坦を保持するごとく形成されている。
【００１９】
粘着剤Ａは、台紙１の外周縁から矩形の長手方向の両側は若干の間隔をおいて、矩形の短辺方向の外側縁すなわち、前記矩形パネル5、5の左右外側縁からそれぞれ広巾の間隔Ｗをおいて塗布され、台紙1の二つ折り時に左右のパネル面の粘着剤同士が接触しないようになっている。
そして、捕獲具を使用しない保管時（販売・輸送時を含む）には、横断面が細長い矩形の開口を有するケース１０に、2ケの台紙1、1をそれぞれ二つ折りして、台紙中央の狭巾パネル4を挟んで左右の矩形パネル5、5が平坦になろうとする反撥力を押え込む状態で互い違いに組合せて挿入により収納する（図4参照）。
【００２０】
この捕獲具をケース１０から取出し、狭巾パネル4を挟んで左右両側の矩形パネル5、5が平坦状態のもの（図1参照）を室等の壁面に沿った鼠の通路に配置する。鼠が台紙1の上面を走ると鼠は粘着剤Ａに脚を取られ、台紙１から逃げようとしてあばれると粘着剤Ａを塗布したプラスチックフィルム2は台紙の板紙面から剥がれて鼠の体に絡みつき鼠は逃げられなくなり（図3参照）、鼠を容易に捕獲することができる。この後、プラスチックフィルム2に絡みつかれて包まれた状態の鼠を台紙1から剥ぎとり廃棄処理する。
【実施例２】
【００２１】
図5に、本発明の捕獲具の他の例を示す斜視図が示されている。このものは、従来公知の台紙形式の捕獲具に本発明の技術思想を適用したものである。すなわち、台紙1の中央部に、相互間隔を板紙厚の２倍強に2条の折筋3、3を圧縮により凹凸状に形成してその間に狭巾パネル4を形成するとともに、狭巾パネル4の左右両側の前記折筋3に隣接して一対の矩形パネル5、5を、各矩形パネルの三方の外側縁にそれぞれ小巾折返し片７，７，8を形成して前記狭巾パネル4を挟んで常時平坦を保持するごとく形成し、前記左右の矩形パネル5、5の各三方の折返し片の内側のプラスチックフィルム2の上面に粘着剤Ａを塗布し、且つ各矩形パネル5、5の略中央にそれぞれ粘着防止片9を設けて2つ折り時に粘着面同士がくっつかないようにする。
【００２２】
之により、展開した平坦状態の台紙１を前記と同様にして鼠の通路に配置し、鼠が台紙1の上面を走り粘着剤Ａに脚をとられてあばれると粘着剤を塗布したプラスチックフィルム2は台紙1の板紙面から剥がれて（この場合、折返し部分のプラスチックフィルムの接着力は弱いため容易に剥がれる）鼠の体に絡みつき鼠を容易に捕獲することができる。この後、台紙1からプラスチックフィルムに絡まれ包まれた状態の捕獲した鼠を剥ぎとり廃棄処分することは、実施例1と同様である。
【産業上の利用可能性】
【００２３】
本発明の鼠類捕獲具は、粘着剤を塗布した台紙により鼠を捕獲する形式の捕獲具を用いて鼠を捕獲する場合、捕獲した後に台紙の板紙部分を残して鼠を廃棄処理することができるため、従来品と異なり廃棄部分を少なくして板紙部分の再利用により資源の有効利用に役立つ鼠類捕獲具を容易に提供することができる。
【図面の簡単な説明】
【００２４】
【図１】本発明の捕獲具の一対の矩形パネルを展開してプラスチックフィルムを一部剥離した状態を示す斜視図である。
【図２】展開状態の捕獲具の側面図とその一部拡大図である。
【図３】鼠の捕獲状態を示す捕獲具の斜視図である。
【図４】捕獲具を収容したケース内部の側面図である。
【図５】本発明の捕獲具の他の例を示す斜視図である。
【符号の説明】
【００２５】
１…… 台紙
２……  プラスチックフィルム
３……  折筋
４……  狭巾パネル
５……  矩形パネル
６……  凸部
７……  小巾折返し片
８……  小巾折返し片
Ａ……  粘着剤
Ｂ……  弱接着剤（アクリル樹脂系エマルジョン形接着剤）
ｄ……  狭巾間隔
【図１】
2006174787.tif 000003
【図２】
2006174787.tif 000004
【図３】
2006174787.tif 000005
【図４】
2006174787.tif 000006
【図５】
2006174787.tif 000007